(57)【要約】【課題】給湯タンクユニット１のコンパクト化を進める。【解決手段】混合分岐弁は出湯管が連通する第１流入ポートと、前記給水バイパス管が連通する第２流入ポートと、混合された湯水を流出させる給湯流出ポートと湯張り流出ポートとが形成されたボディー部と、このボディー部内に形成され、前記第１、第２流入ポートと前記給湯流出ポートとを連通する給湯弁と、前記第１、第２流入ポートと前記湯張り流出ポートとを連通する湯張り弁とを設け、前記給湯弁を駆動して湯水の混合比を調整する給湯弁駆動手段と、前記湯張り弁を駆動して湯水の混合比を調整する湯張り弁駆動手段とを備えたものである。【選択図】図１
2008281260.tif 000002
【特許請求の範囲】
【請求項１】
湯水を貯湯する貯湯タンクと、この貯湯タンク内の湯水を加熱する加熱手段と、前記貯湯タンクの下部に給水する給水管と、前記貯湯タンクの上部から出湯する出湯管と、前記給水管から分岐され前記貯湯タンクをバイパスする給水バイパス管と、前記出湯管からの湯水と前記給水バイパス管からの水とを混合する混合分岐弁を備えた貯湯式温水器であって、前記混合分岐弁は出湯管が連通する第１流入ポートと、前記給水バイパス管が連通する第２流入ポートと、混合された湯水を流出させる給湯流出ポートと湯張り流出ポートとが形成されたボディー部と、このボディー部内に形成され、前記第１、第２流入ポートと前記給湯流出ポートとを連通する給湯弁と、前記第１、第２流入ポートと前記湯張り流出ポートとを連通する湯張り弁とを設け、前記給湯弁を駆動して湯水の混合比を調整する給湯弁駆動手段と、前記湯張り弁を駆動して湯水の混合比を調整する湯張り弁駆動手段とを備えたことを特徴とする貯湯式温水器。
【請求項２】
湯水を貯湯する貯湯タンクと、この貯湯タンク内の湯水を加熱する加熱手段と、前記貯湯タンクの下部に給水する給水管と、前記貯湯タンクの上部から出湯する出湯管と、前記貯湯タンクの中間部から出湯する中間出湯管と、前記給水管から分岐され前記貯湯タンクをバイパスする給水バイパス管と、前記出湯管または中間出湯管からの湯水と前記給水バイパス管からの水とを混合する混合分岐弁を備えた貯湯式温水器であって、前記混合分岐弁は出湯管が連通する第１流入ポートと、前記給水バイパス管が連通する第２流入ポートと、前記中間出湯管が連通する第３流入ポートと、給湯温度に混合された湯水を流出させる給湯流出ポートと、風呂湯張り温度に混合された湯水を流出させる湯張り流出ポートとが形成されたボディー部と、このボディー部内に形成され、前記第１流入ポートを閉じて第２流入ポートと第３流入ポートの開口比を可変し、又は、第２流入ポートを閉じて第１流入ポートと第３流入ポートの開口比を可変し、前記給湯弁を駆動して湯水の混合比を調整する給湯弁駆動手段と、前記第１流入ポートを閉じて第２流入ポートと第３流入ポートの開口比を可変し、又は、第２流入ポートを閉じて第１流入ポートと第３流入ポートの開口比を可変し、前記湯張り弁を駆動して湯水の混合比を調整する湯張り弁駆動手段とを備えたことを特徴とする貯湯式温水器。
【請求項３】
第１流入ポートと第２流入ポートと第３流入ポートと給湯流出ポートと湯張り流出ポートが形成されたボディー部と、このボディー部内に形成され、前記第１流入ポートを閉じて第２流入ポートと第３流入ポートの開口比を可変し、又は、第２流入ポートを閉じて第１流入ポートと第３流入ポートの開口比を可変し、前記給湯弁を駆動して湯水の混合比を調整する給湯弁駆動手段と、前記第１流入ポートを閉じて第２流入ポートと第３流入ポートの開口比を可変し、又は、第２流入ポートを閉じて第１流入ポートと第３流入ポートの開口比を可変し、前記湯張り弁を駆動して湯水の混合比を調整する湯張り弁駆動手段とを備えたことを特徴とする混合分岐弁。
【請求項４】
円筒状のボディー部を形成し、このボディー部内を２つの円板で中央室と２つの端室の３室に仕切ると共に、前記中央室内を更に３室に仕切り、第１流入ポート、第２流入ポート、第３流入ポートを形成し、前記２つの端室の一方に給湯流出ポートを、他方には湯張り流出ポートを形成し、前記円板は回動自在で且つ適宜大きさの連通穴を設け、前記２つの円板は回転軸によって給湯弁駆動手段と湯張り弁駆動手段にそれぞれ接続され、給湯弁駆動手段と湯張り弁駆動手段によって、湯水の混合比をそれぞれ調整することを特徴とする混合分岐弁。
【発明の詳細な説明】
【技術分野】
【０００１】
この発明は流体を混合する混合分岐弁およびこの混合分岐弁を用いて貯湯した湯水を給水と混合して給湯する貯湯式温水器に関するものである。
【背景技術】
【０００２】
従来よりこの種の貯湯式温水器では、湯水を貯湯する貯湯タンクと、この貯湯タンク内の湯水を加熱する加熱手段と、貯湯タンクの下部に給水する給水管と、貯湯タンクの上部から出湯する出湯管と、貯湯タンクの中間部から出湯する中間出湯管と、給水管から分岐された給水バイパス管と、出湯管からの湯水と中間出湯管からの湯水と給水バイパス管からの水とを混合する混合弁とを備えた貯湯式温水器であって、この混合弁によって出湯管からの湯水と中間出湯管からの湯水を混合した給湯あるいは中間出湯管からの湯水と給水バイパス管からの水を混合した給湯を可能としたものだった。（例えば、特許文献１参照）
【特許文献１】特開２００５−３３１１７５号公報
【発明の開示】
【発明が解決しようとする課題】
【０００３】
ところが、この従来のものでは、給湯と風呂湯張りは同じ給湯管を使用しているので、風呂の湯張り中に給湯を使用する場合には風呂の温度が優先され使用者が好みの給湯温度を使用することはできなかった。
【課題を解決するための手段】
【０００４】
この発明はこの点に着目し、上記欠点を解決する為、特にその構成を、湯水を貯湯する貯湯タンクと、この貯湯タンク内の湯水を加熱する加熱手段と、前記貯湯タンクの下部に給水する給水管と、前記貯湯タンクの上部から出湯する出湯管と、前記給水管から分岐され前記貯湯タンクをバイパスする給水バイパス管と、前記出湯管からの湯水と前記給水バイパス管からの水とを混合する混合分岐弁を備えた貯湯式温水器であって、前記混合分岐弁は出湯管が連通する第１流入ポートと、前記給水バイパス管が連通する第２流入ポートと、混合された湯水を流出させる給湯流出ポートと湯張り流出ポートとが形成されたボディー部と、このボディー部内に形成され、前記第１、第２流入ポートと前記給湯流出ポートとを連通する給湯弁と、前記第１、第２流入ポートと前記湯張り流出ポートとを連通する湯張り弁とを設け、前記給湯弁を駆動して湯水の混合比を調整する給湯弁駆動手段と、前記湯張り弁を駆動して湯水の混合比を調整する湯張り弁駆動手段とを備えたものである。
【０００５】
また、湯水を貯湯する貯湯タンクと、この貯湯タンク内の湯水を加熱する加熱手段と、前記貯湯タンクの下部に給水する給水管と、前記貯湯タンクの上部から出湯する出湯管と、前記貯湯タンクの中間部から出湯する中間出湯管と、前記給水管から分岐され前記貯湯タンクをバイパスする給水バイパス管と、前記出湯管または中間出湯管からの湯水と前記給水バイパス管からの水とを混合する混合分岐弁を備えた貯湯式温水器であって、前記混合分岐弁は出湯管が連通する第１流入ポートと、前記給水バイパス管が連通する第２流入ポートと、前記中間出湯管が連通する第３流入ポートと、給湯温度に混合された湯水を流出させる給湯流出ポートと、風呂湯張り温度に混合された湯水を流出させる湯張り流出ポートとが形成されたボディー部と、このボディー部内に形成され、前記第１流入ポートを閉じて第２流入ポートと第３流入ポートの開口比を可変し、又は、第２流入ポートを閉じて第１流入ポートと第３流入ポートの開口比を可変し、前記給湯弁を駆動して湯水の混合比を調整する給湯弁駆動手段と、前記第１流入ポートを閉じて第２流入ポートと第３流入ポートの開口比を可変し、又は、第２流入ポートを閉じて第１流入ポートと第３流入ポートの開口比を可変し、前記湯張り弁を駆動して湯水の混合比を調整する湯張り弁駆動手段とを備えたものである。
【０００６】
また、第１流入ポートと第２流入ポートと第３流入ポートと給湯流出ポートと湯張り流出ポートが形成されたボディー部と、このボディー部内に形成され、前記第１流入ポートを閉じて第２流入ポートと第３流入ポートの開口比を可変し、又は、第２流入ポートを閉じて第１流入ポートと第３流入ポートの開口比を可変し、前記給湯弁を駆動して湯水の混合比を調整する給湯弁駆動手段と、前記第１流入ポートを閉じて第２流入ポートと第３流入ポートの開口比を可変し、又は、第２流入ポートを閉じて第１流入ポートと第３流入ポートの開口比を可変し、前記湯張り弁を駆動して湯水の混合比を調整する湯張り弁駆動手段とを備えたものである。
【０００７】
また、円筒状のボディー部を形成し、このボディー部内を２つの円板で中央室と２つの端室の３室に仕切ると共に、前記中央室内を更に３室に仕切り、第１流入ポート、第２流入ポート、第３流入ポートを形成し、前記２つの端室の一方に給湯流出ポートを、他方には湯張り流出ポートを形成し、前記円板は回動自在で且つ適宜大きさの連通穴を設け、前記２つの円板は回転軸によって給湯弁駆動手段と湯張り弁駆動手段にそれぞれ接続され、給湯弁駆動手段と湯張り弁駆動手段によって、湯水の混合比をそれぞれ調整するようにしたものである。
【発明の効果】
【０００８】
この発明によれば、１つの混合分岐弁により別々の２つの設定温度の給湯と湯張りを同時に行うことができるため、制御の信頼性が向上すると共に給湯温度や湯張り温度を安定させることが非常に容易となる。
また給湯弁と湯張り弁の構造を円板形状にすることでボディー部との接触面積が小さくなり、よりスムーズな弁の駆動ができる様になり、ゴミ等の付着による故障を少なくすることができるようになる。
また湯水の混合後の部屋を円筒状に大きく設けることで湯水の混合が促進され給湯温度や湯張り温度の変動幅が少なくなるものである。
【発明を実施するための最良の形態】
【０００９】
次に、本発明の一実施形態を図１に基づいて説明する。
この貯湯式温水器は、時間帯別契約電力の電力単価が安価な深夜時間帯に湯水を沸き上げて貯湯し、この貯湯した湯水を給湯に用いるもので、１は湯水を貯湯する貯湯タンク２を備えた貯湯タンクユニット、３は貯湯タンク内の湯水を加熱するヒートポンプユニット等の加熱手段、４は台所や洗面所等に設けられた給湯栓、５は給湯設定温度を設定するためのリモコン、６は浴槽である。
【００１０】
前記貯湯タンクユニット１の貯湯タンク２は、上端に出湯管７と、下端に給水管８とが接続され、さらに、下部にヒーポン循環回路９を構成するヒーポン往き管１０と、上部にヒーポン循環回路９を構成するヒーポン戻り管１１とが接続され、前記加熱手段３によってヒーポン往き管１０から取り出した貯湯タンク２内の湯水を沸き上げてヒーポン戻り管１１から貯湯タンク２内に戻して貯湯され、給水管８からの給水により貯湯タンク２内の湯水が押し上げられて貯湯タンク２内上部の高温水が出湯管７から押し出されて給湯されるものである。なお、１２は給水管８に設けられ給水圧を所定値に減圧する減圧弁、１３は給水管８に設けられ給水の温度を検出する給水温度センサ、１４は出湯管７途中に設けられた貯湯タンク２の過圧を逃す過圧逃し弁である。
【００１１】
前記加熱手段３は、圧縮機１５と凝縮器としての冷媒−水熱交換器１６と電子膨張弁１７と強制空冷式の蒸発器１８で構成されたヒートポンプ回路１９と、貯湯タンク２内の湯水を前記ヒーポン往き管１０およびヒーポン戻り管１１を介して冷媒−水熱交換器１６に循環させるヒーポン循環ポンプ２０と、それらの駆動を制御するヒーポン制御部２１とを備えており、ヒートポンプ回路１９内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１２】
次に、２２は前記浴槽６の湯水を加熱するためのステンレス製の蛇管よりなるふろ熱交換器で、このふろ熱交換器２２にはふろ往き管２３およびふろ循環ポンプ２４を有したふろ戻り管２５を備えたふろ循環回路２６が接続されて浴槽６の湯水が循環可能にされ、浴槽６内の湯水が貯湯タンク２内の高温水により加熱されて保温あるいは追焚きが行われるものである。なお、２７はふろ戻り管２５を循環する浴槽６の湯水の温度を検出するふろ温度センサである。ふろの追焚き指令あるいは保温指令が出されるとふろ循環ポンプ２４が駆動され、ふろ温度センサ２７で所望の温度を検出するとふろ循環ポンプ２４が停止されて運転が完了する。この時、ふろ熱交換器２２の最上部より下方の湯水は浴槽水との熱交換で温度低下することとなる。
【００１３】
次に、２８は貯湯タンク２の中間位置に接続された中間出湯管で、前記ふろ熱交換器２２でふろ側と熱交換して温度低下した中温水や湯と水の境界層付近で熱移動により温度低下あるいは温度上昇した中温水などの貯湯タンク２の中間位置に貯められている湯水を貯湯タンク２から出湯させるものである。
【００１４】
次に、２９は前記給水管８から分岐されて貯湯タンク２をバイパスする給水バイパス管、３０は前記出湯管７からの湯水と前記中間出湯管２８からの湯水と前記給水バイパス管２９からの水とを混合する混合分岐弁、この混合分岐弁３０の下流は給湯管３１と湯張り管３２が設けられ、前記給湯管３１には給湯温度センサ３３を備えている。３４は前記湯張り管３２に設けた湯張り温度センサ、３５は風呂湯張りする湯水の量をカウントする湯張り流量カウンタである。
前記湯張り管３２はふろ循環回路２６に接続され、浴槽６への湯張りの開始／停止を行う湯張り弁３６と、浴槽６への逆流を防止する逆止弁等の逆流防止手段３７とが設けられている。
【００１５】
次に、３８は貯湯タンク２の上下方向に複数個配置された貯湯温度センサで、この実施形態では５つの貯湯温度センサが配置され上から３８ａ、３８ｂ、３８ｃ、３８ｄ、３８ｅと呼び、この貯湯温度センサ３８が検出する温度情報によって、貯湯タンク２内にどれだけの熱量が残っているかを検知し、そして貯湯タンク２内の上下方向の温度分布を検知するものである。
【００１６】
３９は貯湯タンクユニット１内の各センサの入力を受け各アクチュエータの駆動を制御するマイコンを有した制御部である。この制御部３９に前記リモコン５が無線または有線により接続されユーザーが任意の給湯設定温度およびふろ設定温度を設定できるようにしているものである。そして前記制御部３９は、給湯時に給湯温度センサ３３で検出される温度が設定温度になるように混合分岐弁３０を制御したり、深夜に貯湯タンク２内の湯水が沸き上がるようにヒーポン制御部２１に対して沸き上げ命令を指示したりするものである。
【００１７】
次に、沸き上げ運転について説明すると、深夜電力時間帯になって貯湯温度センサ３８が貯湯タンク２内に翌日に必要な熱量が残っていないことを検出すると、制御部３９はヒーポン制御部２１に対して沸き上げ開始指令を発する。指令を受けたヒーポン制御部２１は圧縮機１５を起動した後にヒーポン循環ポンプ２０を駆動開始し、貯湯タンク２下部に接続されたヒーポン往き管１０から取り出した５〜２０℃程度の低温水を冷媒−水熱交換器１６で７０〜９０℃程度の高温に加熱し、貯湯タンク２上部に接続されたヒーポン戻り管１１から貯湯タンク２内に戻し、貯湯タンク２の上部から順次積層して高温水を貯湯していく。貯湯温度センサ３８が必要な熱量が貯湯されたことを検出すると、制御部３９はヒーポン制御部２１に対して沸き上げ停止指令を発し、ヒーポン制御部２１は圧縮機１５を停止すると共にヒーポン循環ポンプ２０も停止して沸き上げ動作を終了するものである。なお、貯湯タンク２内には上部に高温水、下部に低温水が貯められることとなるが、その温度差により比重差が発生し、温度境界層を形成して比重の軽い高温水が上部に、比重の重い低温水が下部に位置するので、互いに混じり合うことはないものである。
【００１８】
次に、給湯運転について説明すると、給湯栓４を開くと、給水管８からの給水が貯湯タンク２内に流れ込む。そして貯湯タンク２内に存在する高温水が流体混合弁３０へ押し出される。同時に給水バイパス管２９からの給水も流体混合弁３０へ流れ込み、設定温度に混合されて給湯されるものである。
【００１９】
ここで、前記中間出湯管２８によって中温水の供給を行わない場合の混合分岐弁３０について図２〜図５に基づき詳細に説明する。
図２は混合分岐弁３０の斜視図、図３は正面の断面図、図４は図３のＡ−Ａ断面図、図５は右側面の断面図であり、４０はこの混合分岐弁３０のボディー部で、前記出湯管７に連通する第１流入ポート４１と、前記給水バイパス管２９に連通する第２流入ポート４２と、前記給湯管３１に連通する給湯流出ポート４３と、湯張り管３２と連通する湯張り流出ポート４４とが形成され、第１、第２流入ポート４１・４２と給湯流出ポート４３は給湯弁４５にて連通され、この給湯弁４５はステップモータから成る給湯弁駆動手段４６にて湯水の混合比を調整して必要な温度の給湯を行うものである。また、第１、第２流入ポート４１・４２と湯張り流出ポート４４は湯張り弁４７にて連通され、この湯張り弁４７はステップモータから成る湯張り弁駆動手段４８にて湯水の混合比を調整して必要な温度の湯張りを行うものである。前記第１流入ポート４１と第２流入ポート４２は対向して設けられ、湯水の合流点に備えた給湯弁４５と湯張り弁４７の連通口４９・５０の開度により湯水の混合比がそれぞれ決まるものであり、給湯流出ポート４３からは必要な給湯温度の湯が、湯張り流出ポート４４からは必要な湯張り温度の湯が、それぞれ別々の温度で同時に供給することができるものである。
【００２０】
前記ボディー部４０内の前記第１、第２流入ポート４１・４２と流出ポート４３・４４とが連通する交点の位置には、前記流出ポート４３・４４と直角に円筒状の弁室５１・５２が設けられ、この弁室４９・５０内に弁体５３・５４が配置されているものである。この弁体５３・５４は流出ポート４３・４４側を開放した中空円筒形状で、周壁の一部を開口して前記連通口４９・５０が形成されている。
【００２１】
前記弁駆動手段４６・４８は前記制御部３９により制御されるもので、制御部３９は前記貯湯温度センサ３８の検出する温度に応じて給湯待機中の弁体４５の待機角度を決定し、弁駆動手段４７を駆動して決定された角度に弁体５３・５４を回動させて待機させる。
【００２２】
次に、本発明の第２の実施形態を図６〜図７に基づいて説明する。なお、先の一実施形態と同じものは同一の記号を付してその説明を省略する。
図６は混合分岐弁３０の正面の断面図、図７は図６のＢ−Ｂ断面図であり、５５は前記中間出湯管２８と接続する第３流入ポートで、図７で示すように前記弁体５３・５４を中心として第１流入ポート４１、第３流入ポート５５、第２流入ポート４２が並んで設けられ、前記制御部３９は、中間貯湯温度センサ５６で検出する温度がリモコン５等で設定された設定温度よりも高い状態では、弁体５３・５４の連通口４９・５０が、給水バイパス管２９に連通する第２流入ポート４２と中間出湯管２８に連通する第３流入ポート５５の２つのポートの開口比を可変開いた角度で弁体５３・５４を待機させるよう弁駆動手段４６・４８を駆動して待機し、中間貯湯温度センサ５６で検出する温度がリモコン５等で設定された設定温度以下の場合は、第３流入ポート５５と出湯管７と連通する第１流入ポート４１の２つのポートの開口比を可変開いた角度で弁体５３・５４を待機させるよう弁駆動手段４６・４８を駆動して待機するようにしている。
【００２３】
そして、給湯や湯張りが開始されると、制御部３９は給湯や湯張り中に給湯温度センサ３３や湯張り温度センサ３４がリモコン５等で設定された設定温度を検出するように弁駆動手段４６・４８をそれぞれの設定温度に応じて駆動して弁体５３・５４の回動角度を調節する。
【００２４】
このように、貯湯タンク２の中間部の中温水を貯湯タンク２上部の高温水に優先して用いて２つの設定温度の給湯や湯張りを同時にすることが１つの混合分岐弁３０により可能となり、貯湯式温水器の製品原価を低減させることができた。また、従来の混合弁を２つ直列に接続して制御するものでは流れの上流側の混合弁の開度を変更すると下流の混合弁の制御に影響するため、２つの混合弁を制御して給湯温度を安定させることが難しいものであったが、本発明では１つの混合分岐弁３０により２つの設定温度の給湯と湯張りを同時に行うことができるため、制御の信頼性が向上すると共に給湯温度を安定させることが非常に容易となる。
【００２５】
また、貯湯タンク２の中間部の温度に応じて、給湯待機状態での混合分岐弁３０の待機位置を変えるようにしているので、給湯開始から設定温度に達するまでの到達時間が短縮されて給湯温度のアンダーシュートが減少し、給湯温度の立ち上がり性能が向上し、給湯使用感のより良い貯湯式温水器とすることができる。
【００２６】
次に、本発明の第３の実施形態を図８〜図１０に基づいて説明する。なお、先の一実施形態と同じものは同一の記号を付してその説明を省略する。
【００２７】
図８は混合分岐弁３０の正面の断面図、図９は図８のＣ−Ｃ断面図であり、図１０は給湯弁４５周囲の説明斜視図であり、この実施例ではボディー部４０は円筒状に形成され、このボディー部４０を回転自在の２つの円板５７・５８で中央室５９と端室６０・６１で３室に仕切る。前記中央室５９は仕切板６２によって更に円筒の軸方向に３室に仕切られ、この３室にそれぞれ第１流入ポート４１、第２流入ポート４２、第３流入ポート５５が形成されている。
【００２８】
前記端室６０・６１の一方には給湯流出ポート４３が、他方には湯張り流出ポート４４が形成されている。また、前記円板５７・５８には連通口４９・５０が開口され、軸６３・６４にて前記駆動手段４６・４８と接続され、円板５７・５８の回動角度によって湯水の混合比を調整して、給湯温度と湯張り温度をそれぞれ制御するものである。
【００２９】
この実施例によれば給湯弁４５と湯張り弁４７の構造を円板形状にすることでボディー部４０との接触面積が小さくなり、よりスムーズな弁の駆動ができる様になり、ゴミ等の付着による故障を少なくすることができるようになる。
【００３０】
また湯水の混合後の部屋を円筒状に大きく設けることで湯水の混合が促進され給湯温度や湯張り温度の変動幅が少なくなるものである。
【図面の簡単な説明】
【００３１】
【図１】この発明の一実施例の概略構成図。
【図２】第１の実施例の混合分岐弁の斜視図。
【図３】同正面の断面図。
【図４】同図３のＡ−Ａ断面図。
【図５】同右側面の断面図。
【図６】第２の実施例の混合分岐弁の正面の断面図。
【図７】同図６のＢ−Ｂ断面図。
【図８】第３の実施例の混合分岐弁の正面の断面図。
【図９】同図８のＣ−Ｃ断面図。
【図１０】同給湯弁４５周囲の説明斜視図。
【符号の説明】
【００３２】
２  貯湯タンク
３  加熱手段
７  出湯管
８  給水管
２８  中間出湯管
２９  給水バイパス管
３０  混合分岐弁
３８  貯湯温度センサ
３９  制御部
４０  ボディー部
４１  第１流入ポート
４２  第２流入ポート
４３  給湯流出ポート
４４  湯張り流出ポート
４５  給湯弁
４６  給湯弁駆動手段
４７  湯張り弁
４８  湯張り弁駆動手段
５５  第３流入ポート
５６  中間貯湯温度センサ
５９  中央室
６０  端室
６１  端室
【図１】
2008281260.tif 000003
【図２】
2008281260.tif 000004
【図３】
2008281260.tif 000005
【図４】
2008281260.tif 000006
【図５】
2008281260.tif 000007
【図６】
2008281260.tif 000008
【図７】
2008281260.tif 000009
【図８】
2008281260.tif 000010
【図９】
2008281260.tif 000011
【図１０】
2008281260.tif 000012